【事件の表示】
　特許第３０５１６５９号「給水ポンプの呼び水装置」の請求項１ないし３、５ないし９に係る特許に対する特許異議の申立てについて、次のとおり決定する。
【結　論】
　訂正を認める。
　本件特許異議の申立てを却下する。
【理　由】
１．手続の経緯
　特許第３０５１６５９号の請求項１ないし９に係る発明についての出願は、平成７年７月２８日に特許出願され、平成１２年３月３１日にその発明について特許権の設定登録がなされ、その後、請求項１ないし３、５ないし９に係る特許について、異議申立人大和哲夫、及び日本機械工業株式会社より特許異議の申立てがなされ、平成１３年２月１９日に取消しの理由が通知され、その指定期間内である平成１３年４月２５日に訂正請求がなされたものである。
　
２．訂正の適否についての判断
(１)訂正の内容
ア．訂正事項ａ　
　【特許請求の範囲】の【請求項１】ないし【請求項３】、【請求項５】ないし【請求項９】を削除する。
イ．訂正事項ｂ
　【特許請求の範囲】の【請求項４】を【請求項１】とし、その記載を次のとおりとする。
「【請求項１】
　自己潤滑性ベーンを用いたロータリーベーンポンプを駆動し、給水ポンプ内の空気を外部へ排出して該給水ポンプ内に呼び水を行う給水ポンプの呼び水装置の前記ロータリーベーンポンプの吸入側に、外気を吸入させるエアーアシスト部が設けられている給水ポンプの呼び水装置において、
前記エアーアシスト部は、前記ロータリーベーンポンプの吸入側に設けられた外気吸入用小孔と、給水ポンプからの排気時には該外気吸入用小孔を閉じていて呼び水完了時の水により、該外気吸入用小孔を開く弁とにより形成されていることを特徴とする給水ポンプの呼び水装置。」
(２)訂正の目的の適否、新規事項の有無及び拡張・変更の存否
　上記訂正事項ａは、特許請求の範囲の減縮を目的とした明細書の訂正に該当し、上記訂正事項ｂは、上記訂正事項ａにより請求項２が削除されたことに伴って単に独立形式に変更するものであるから、明りょうでない記載の釈明を目的とした明細書の訂正に該当し、いずれも、新規事項の追加に該当せず、実質上特許請求の範囲を拡張し、又は変更するものではない。
(３)むすび
　以上のとおりであるから、上記訂正は、特許法第１２０条の４第２項及び同条第３項において準用する特許法第１２６条第２項及び第３項の規定に適合するので、当該訂正を認める。
　
３．特許異議の申立てについての判断
　請求項１ないし３、５ないし９に係る発明は、訂正の結果削除され、特許異議の申立ての対象が存在しないので、この特許異議の申立ては、不適法な申立てであって、その補正をすることができないものである。
　したがって、本件特許異議の申立ては、特許法第１２０条の６第１項で準用する同法第１３５条の規定によって却下すべきものである。
　よって、結論のとおり決定する。
【異議決定日】
平成１３年６月４日（２００１．６．４）
【訂正の要旨】
ア．訂正事項ａ
　特許請求の範囲の減縮を目的として、【特許請求の範囲】の【請求項１】ないし【請求項３】，【請求項５】ないし【請求項９】を削除する。
イ．訂正事項ｂ
　明りょうでない記載の釈明を目的として、【特許請求の範囲】の【請求項４】を【請求項１】とし、その記載を次のとおりとする。
「【請求項１】
　自己潤滑性ベーンを用いたロータリーベーンポンプを駆動し、給水ポンプ内の空気を外部へ排出して該給水ポンプ内に呼び水を行う給水ポンプの呼び水装置の前記ロータリーベーンポンプの吸入側に、外気を吸入させるエアーアシスト部が設けられている給水ポンプの呼び水装置において、
前記エアーアシスト部は、前記ロータリーベーンポンプの吸入側に設けられた外気吸入用小孔と、給水ポンプからの排気時には該外気吸入用小孔を閉じていて呼び水完了時の水により、該外気吸入用小孔を開く弁とにより形成されていることを特徴とする給水ポンプの呼び水装置。」
（５４）【発明の名称】
給水ポンプの呼び水装置
（５７）【特許請求の範囲】
　【請求項１】
　自己潤滑性ベーンを用いたロータリーベーンポンプを駆動し、給水ポンプ内の空気を外部へ排出して該給水ポンプ内に呼び水を行う給水ポンプの呼び水装置の前記ロータリーベーンポンプの吸入側に、外気を吸入させるエアーアシスト部が設けられている給水ポンプの呼び水装置において、
前記エアーアシスト部は、前記ロータリーベーンポンプの吸入側に設けられた外気吸入用小孔と、給水ポンプからの排気時には該外気吸入用小孔を閉じていて呼び水完了時の水により、該外気吸入用小孔を開く弁とにより形成されていることを特徴とする給水ポンプの呼び水装置。
【発明の詳細な説明】
　【０００１】
　【発明の属する技術分野】本発明は、自己潤滑性ベーンを用いたロータリーベーンポンプの駆動により給水ポンプへ呼び水を行う給水ポンプの呼び水装置に関するものである。
　【０００２】
　【従来の技術】揚水ポンプや消防ポンプ等に用いられる渦巻ポンプやタービンポンプ等の給水ポンプを使用する場合には、初めに呼び水装置を用いていわゆる「呼び水」を行う必要がある。
　【０００３】呼び水装置を用いての呼び水は、ロータリーベーンポンプの吸引作用により給水ポンプの内部を脱気して、水を吸い上げる事により行う。従って、ロータリーベーンポンプ内には水が流入し、ロータリーベーンポンプの回転による水の圧縮やリキッドハンマ現象等によって該ロータリーベーンポンプのベーンが破壊する可能性があった。
　【０００４】この現象を、図１０（Ａ）（Ｂ）に示すロータリーベーンポンプ１を用いて説明する。該ロータリーベーンポンプ１は、ポンプケース２内にロータ３が偏心して回転自在に設けられ、該ロータ３に放射状に設けられた各溝４にベーン５が摺動自在に組み込まれた構造になっている。該ロータリーベーンポンプ１の吸入側に給水ポンプ内につながる配管６が接続され、排出側には排出管７が接続されている。
　【０００５】このようなロータリーベーンポンプ１は、図示しないエンジンによりロータリーベーンポンプ１を駆動すると、ロータ３の回転に伴うベーン５、ロータ３、ポンプケース２で囲まれた空間の容積変化による吸引作用で図示しない給水ポンプ内が脱気され、該給水ポンプ内に水が吸い上げられることになる。
　【０００６】このようなロータリーベーンポンプ１では、給水ポンプからロータリーベーンポンプ１に至る排出通路に接続されているダイヤフラム式止水弁、逆止弁、ストレーナト等の抵抗によりロータリーベーンポンプ１内には水が１００％入らず、図１０（Ａ）のベーン５、ロータ３、ポンプケース２で形成される膨張室８には真空の空間ができる。そのため図１０（Ｂ）のように、ロータ３が回転し、排出ポート９が膨張室８に連動した瞬間に、該排出ポート９内及び排出管７内の水が瞬間時に逆流して膨張室８に入り、ロータ３の回転による水の圧縮やリキッドハンマ現象等によって、ベーン５に衝撃が加えられ、ベーン５が破壊する可能性がある。
　【０００７】このためロータリーベーンポンプを構成する材料は、ベーン５も含めて強度を必要とし、金属材料が主であった。そのため潤滑用のオイルが必要とされた。
　【０００８】しかしながら、潤滑用のオイルを用いるロータリーベーンポンプ１では、呼び水時にオイルが混じった水が排出されるので、環境を汚染する問題点があった。
　【０００９】そこでカーボン材のような自己潤滑性を持つベーン５を組み込んだロータリーベーンポンプ１を用いた呼び水装置が提案されている。このような自己潤滑性を持つベーン５を用いたロータリーベーンポンプ１は、ベーン５に自己潤滑性があるので潤滑用のオイルが不要となる。
　【００１０】しかしながらこのように自己潤滑性を持ったカーボン材のような弱い材料でベーン５を構成している呼び水装置にあっては、ロータリーベーンポンプ１内に水が入ると水の圧縮やリキッドハンマ現象等によって該ベーン５が破棄される可能性があるので、該ベーン５の保護手段を付加する必要がある。
　【００１１】図１１は、自己潤滑性ベーン５の保護手段を付加した従来のこの種の給水ポンプの呼び水装置の構造を示したものである。
　【００１２】給水ポンプ１０は、吸入口１１から給水した水を吐出弁１２の吐出口１３を経て吐出するようになっている。
　【００１３】このような給水ポンプ１０に呼び水を行うための呼び水装置１４は、ロータリーベーンポンプ１を主体とした構造になっている。該ロータリーベーンポンプ１は、配管６で給水ポンプ１０の排出通路１５に接続されている。配管６の途中にはストレーナ１６と、水が流入すると排出側の通路を閉じるロート弁３０をもつ気水分離器１７とが接続され、該配管６は逆止弁１８を介して給水ポンプ１０の排出通路１５に接続されている。排出通路１５には、呼び水時にはロータリーベーンポンプ１の吸引による負圧で開となり、該ロータリーベーンポンプ１の停止時には閉となり、吸水口１１が正圧となった場合にロータリーベーンポンプ１側に水が流れるのを防ぐダイヤフラム式止水弁１９が設けられている。
　【００１４】このような呼び水装置１４では、配管６の途中に気水分離器１７が設けられていて、呼び水が配管６に入ってきても気水分離器１７で分離されて、ロータリーベーンポンプ１には水が流れ込まず、このため水の圧縮やリキッドハンマ現象等によって該ベーン５が破壊されるのを防止できる。
　【００１５】
　【発明が解決しようとする課題】しかしながら、図１１に示す構造の給水ポンプの呼び水装置１４では、気水分離器１７を必要とするので、大がかりな装置となり、また該気水分離器１７等が邪魔をして完全な呼び水操作を行えない問題があった。
　【００１６】本発明の目的は、気水分離器を必要としない給水ポンプを提供することにある。
　【００１７】
　【課題を解決するための手段】本発明は、自己潤滑性ベーンを用いたロータリーベーンポンプを駆動し、給水ポンプ内の空気を外部へ排出して該給水ポンプ内に呼び水を行う給水ポンプの呼び水装置を改良の対象としている。
　【００１８】本発明に係る給水ポンプの呼び装置においては、ロータリーベーンポンプの吸入側から該ロータリーベーンポンプの排出ポートまでのいずれかの部分に、外気を吸入させるエアーアシスト部が設けられていることを特徴とする。
　【００１９】本発明でロータリーベーンポンプの吸入側とは、給水ポンプの排出通路の出口から該ロータリーベーンポンプの入口までの部分をいう。
　【００２０】このようにロータリーベーンポンプの吸入側から該ロータリーベーンポンプの排出ポートまでのいずれかの部分に、外気を吸入させるエアーアシスト部を設けると、該エアーアシスト部よりある量の空気が該ロータリーベーンポンプの膨張室に入るため、呼び水が該膨張室に入ってきた時、該膨張室の負圧が下がる。このため該ロータリーベーンポンプの排出ポートが膨張室に連通したときに、該排出ポートから水が膨張室に逆流する量及び速度を制御できる。また、該膨張室内に空気があるため、該空気のダンパ効果によりベーンに加わる水の衝撃力を小さくでき、このため自己潤滑性ベーンの破壊を防止できる。
　【００２１】従って、このような構造の給水ポンプの呼び水装置においては、自己潤滑性ベーンを用いたロータリーベーンポンプを用いても気水分離器が不要になり、完全な呼び水操作を行うことができ、装置の小型化を図ることができ、コストの低減を図ることができる。また、自己潤滑性ベーンの破壊を防止できると、該ベーンの厚さを薄くでき、このためロータリーベーンポンプの小型化も図ることができる。
　【００２２】また本発明に係る給水ポンプの呼び水装置においては、ロータリーベーンポンプの吸入側に、外気を吸入させるエアーアシスト部を設けたことを特徴とする。このようにロータリーベーンポンプの吸入側に、外気を吸入させるエアーアシスト部を設けると、該エアーアシスト部よりある量の空気が該ロータリーベーンポンプの膨張室に入るため、呼び水が該膨張室に入ってきた時、該膨張室の負圧が下がる。このため該ロータリーベーンポンプの排出ポートが膨張室に連通したときに、該排出ポートから水が膨張室に逆流する量及び速度を制御できる。また、該膨張室内の空気があるため、該空気のダンパ効果によりベーンに加わる水の衝撃力を小さくでき、このため自己潤滑性ベーンの破壊を防止できる。
　【００２３】従って、このような構造の給水ポンプの呼び水装置においては、自己潤滑性ベーンを用いたロータリーベーンポンプを用いても気水分離器が不要になり、完全な呼び水操作を行うことができ、装置の小型化を図ることができ、コストの低減を図ることができる。また、自己潤滑性ベーンの破壊を防止できると、該ベーンの厚さを薄くでき、このためロータリーベーンポンプの小型化も図ることができる。更に、ロータリーベーンポンプの吸入側にエアーアシスト部を設けると、ロータリーベーンポンプを加工せずに本発明を実施できる利点がある。
　【００２４】この場合エアーアシスト部は、ロータリーベーンポンプの吸入側に設けた外気吸入用小孔を備えた構造にすることができる。
　【００２５】特に外気吸入用小孔からなるエアーアシスト部によれば、容易に低コストでエアーアシスト部を設けることができる。
　【００２６】また、エアーアシスト部は、ロータリーベーンポンプの吸入側に設けた外気吸入用小孔と、給水ポンプからの排気時には該外気吸入用小孔を閉じていて呼び水完了時の水により該外気吸入用小孔を開く弁とにより形成することができる。
　【００２７】このように、給水ポンプからの排気時には外気吸入用小孔を閉じていて呼び水完了時の水により該外気吸入用小孔を開く弁を設けると、必要なときにだけロータリーベーンポンプ内に外気を吸入することができる。このため該ロータリーベーンポンプでの空気のみの吸込み時には、該弁が開かず、空気のもれがないため該ロータリーベーンポンプ内の真空度の低下を防止できる。
　【００２８】また、本発明に係る給水ポンプの呼び水装置においては、ロータリーベーンポンプの排出ポートに、外気を吸入させるエアーアシスト部を設けたことを特徴とする。
　【００２９】このようにロータリーベーンポンプの排出ポートに、外気を吸入させるエアーアシスト部を設けると、呼び水が該ロータリーベーンポンプの膨張室に入り、ロータの回転により排出ポートが膨張室に連通した時、エアーアシスト部よりある量の空気が該膨張室に入るため、該膨張室の負圧が下がる。このため該ロータリーベーンポンプの排出ポートが膨張室に連通したときに、該排出ポートから水が膨張室に逆流する量及び速度を制御できる。また、該膨張室内に空気があるため、該空気のダンパ効果によりベーンに加わる水の衝撃力を小さくできる。このため自己潤滑性ベーンの破壊を防止できる。
　【００３０】従ってこのような構造の給水ポンプの呼び水装置においても、自己潤滑性ベーンを用いたロータリーベーンポンプを用いても気水分離器が不要になる。
　【００３１】特に、ロータリーベーンポンプの排出ポートにエアーアシスト部を設けると、該ロータリーベーンポンプ内に空気が入るのは、排出ポートが膨張室に連通した時だけであり、このため該ロータリーベーンポンプの真空度の低下が少ない利点がある。
　【００３２】この場合エアーアシスト部は、ロータリーベーンポンプの排出ポートに設けられた外気吸入用小孔を備えた構造にすることができる。
　【００３３】特に外気吸入用小孔からなるエアーアシスト部によれば、容易に低コストでエアーアシスト部を設けることができる。
　【００３４】また、エアーアシスト部は、ロータリーベーンポンプの排出ポートに設けた外気吸入用小孔と、該外気吸入用小孔から水の排出を阻止して外気の吸入のみを行うように該外気吸入用小孔を制御する逆止弁とにより形成することができる。
　【００３５】このように、外気吸入用小孔から水の排出を阻止して外気の吸入のみを行うように該外気吸入用小孔を制御する逆止弁を設けると、呼び水時に外気吸入用小孔から水の排出されるのを防止できる。
　【００３６】また、本発明に係る給水ポンプの呼び水装置においては、ロータリーベーンポンプの排出ポートより前のポンプケーシングに、外気を吸入させるエアーアシスト部を設けたことを特徴とする。
　【００３７】このようにロータリーベーンポンプの排出ポートより前のポンプケーシングにエアーアシスト部を設けると、該エアーアシスト部よりある量の空気が該ロータリーベーンポンプの膨張室に入るため、呼び水が該膨張室に入ってきた時、該膨張室の負圧が下がる。このため該ロータリーベーンポンプの排出ポートが膨張室に連通したときに、該排出ポートから水が膨張室に逆流する量及び速度を抑制できる。また、該膨張室内に空気があるため、該空気のダンパ効果により自己潤滑性ベーンに加わる水の衝撃力を小さくでき、このため自己潤滑性ベーンの破壊を防止できる。
　【００３８】従って、このような構造の給水ポンプの呼び水装置においては、自己潤滑性ベーンを用いたロータリーベーンポンプを用いても気水分離器が不要になり、完全な呼び水操作を行うことができ、装置の小型化を図ることができ、コストの低減を図ることができる。また自己潤滑性ベーンの破壊を防止できると、該ベーンの厚さを薄くでき、このためロータリーベーンポンプの小型化も図ることができる。更に、ロータリーベーンポンプの排出ポートより前のポンプケーシングにエアーアシスト部を設けると、ロータリーベーンポンプ単品の加工で本発明を実施できる利点がある。
　【００３９】この場合エアーアシスト部は、ロータリーベーンポンプの排出ポートより前のポンプケーシングに設けた外気吸入用小孔を備えた構造にすることができる。
　【００４０】特に、外気吸入用小孔からなるエアーアシスト部によれば、ロータリーベーンポンプ単品の加工でエアーアシスト部を形成でき、容易に低コストでエアーアシスト部を設けることができる。
　【００４１】
　【発明の実施の形態】図１は本発明に係る給水ポンプの呼び水装置１４における実施の形態の第１例を示したものである。なお、前述した図１１と対応する部分には、同一符号を付けて示している。
　【００４２】本例の呼び水装置１４においては、カーボン等よりなる自己潤滑性ベーン５を用いたロータリーベーンポンプ１の吸入側に、外気を吸入させるエアーアシスト部２０を設けたことを特徴とする。この場合エアーアシスト部２０は、ロータリーベーンポンプ１の吸入側の配管６に設けた外気吸入用小孔２１により形成されている。
　【００４３】次に、このような呼び水装置１４の動作を図２（Ａ）（Ｂ）を参照して詳細に説明する。
　【００４４】ロータリーベーンポンプ１を駆動し、呼び水操作を行うと、最初のうちは給水ポンプ１０内から空気のみを吸い上げて排出するが、やがて図２（Ａ）に示すように水２２をも吸い上げるようになる。このとき配管６に設けられた外気吸入用小孔２１より外気である空気２３も一緒にロータリーベーンポンプ１内の膨張室８に一定量入る。このため、該膨張室８の負圧が下がる。
　【００４５】それ故、図２（Ｂ）に示すようにロータ３が回転して該ロータリーベーンポンプ１の排出ポート９が膨張室８に連通したときに、該排出ポート９が膨張室８に連通したときに、該排出ポート９から水２２が膨張室８に逆流する量及び速度を抑制できる。また、該膨張室８内に空気２３があるため、該空気２３のダンパ効果により自己潤滑性ベーン５に加わる水の衝撃力を小さくできる。このため自己潤滑性ベーン５の破壊を防止できる。
　【００４６】従って、このような構造の給水ポンプの呼び水装置１４においては、自己潤滑性ベーン５を用いたロータリーベーンポンプ１を用いても気水分離器が不要になる。
　【００４７】特に、本例のような外気吸入用小孔２１からなるエアーアシスト部２０によれば、容易に低コストでエアーアシスト部２０を設けることができる。
　【００４８】本例の場合、ロータリーベーンポンプ１の吸込側に外気吸入用小孔２１があるため、該ロータリーベーンポンプ１では空気漏れによる真空度低下が起こる。このため、該外気吸入用小孔２１は真空度の低下を最小限に抑えた孔径とする。該外気吸入用小孔２１の孔径は、ロータリーベーンポンプ１の排気容量に応じて、排気容量が大きいときには大きめに、排気容量が小さいときには小さ目に、適宜定められることになる。該外気吸入用小孔２１の空気吸入量の調整は、該小孔２１の孔径及び該小孔２１の長さによって行うことができる。
　【００４９】次にロータリーベーンポンプ１の吸入側に、外気を吸入させるエアーアシスト部２０を設けない従来例の場合と、本例のようにエアーアシスト部２０を設けてロータリーベーンポンプ１内に水が流入した場合の排出ポート９の圧力の比較実験結果を説明する。
　【００５０】図３（Ａ）（Ｂ）は、ロータリーベーンポンプ１の回転数が１０００ｒｐｍの場合におけるエアーアシスト部２０なしの従来例と、エアーアシスト部２０ありの本例の場合における排出ポート９の圧力の比較実験結果を示したものである。
　【００５１】図３（Ａ）はエアーアシスト部２０なしの従来例におけるロータリーベーンポンプ１の排出ポート９の圧力を示し、図３（Ｂ）はエアーアシスト部２０ありの本例におけるロータリーベーンポンプ１の排出ポート９の圧力を示している。
　【００５２】図から明らかなように、エアーアシスト部２０ありの本例によれば、エアーアシスト部２０なしの従来例より排気ポート９の圧力が明らかに低下している。
　【００５３】図４（Ａ）（Ｂ）は、ロータリーベーンポンプ１の回転数が２８００ｒｐｍの場合におけるエアーアシスト部２０なしの従来例と、エアーアシスト部２０ありの本例の場合における排出ポート９の圧力の比較実験結果を示したものである。
　【００５４】図４（Ａ）はエアーアシスト部２０なしの従来例におけるロータリーベーンポンプ１の排出ポート９の圧力を示し、図４（Ｂ）はエアーアシスト部２０ありの本例におけるロータリーベーンポンプ１の排出ポート９の圧力を示している。
　【００５５】この場合も、図から明らかなように、エアーアシスト部２０ありの本例によれば、エアーアシスト部２０なしの従来例より排出ポート９の圧力が明らかに低下している。
　【００５６】図５（Ａ）（Ｂ）は、本発明に係る給水ポンプの呼び水装置１４における実施の形態の第２例を示したものである。なお、前述した図１と対応する部分には、同一符号を付けて示している。
　【００５７】本例の呼び水装置１４においては、カーボン等よりなる自己潤滑性ベーン５を用いたロータリーベーンポンプ１の吸入側に、外気を吸入させるエアーアシスト部２０が設けられている点は前述した第１例と同様である。本例のエアーアシスト部２０は、ロータリーベーンポンプ１の吸入側に設けられた外気吸入用小孔２１と、給水ポンプ１０からの排気時には該外気吸入用小孔２１を閉じていて呼び水完了時の水２２の流れにより該外気吸入用小孔２１を開くリード弁２４とにより形成されている。
　【００５８】このような呼び水装置１４では、図５（Ａ）に示すようにロータリーベーンポンプ１で空気２２を吸い込んでいるときには、リード弁２４が外気吸入用小孔２１を閉じていて空気を吸い込まない。このため該ロータリーベーンポンプ１で給水ポンプ１０からの排気時には、該リード弁２４が開かず、空気のもれがないため該ロータリーベーンポンプ１内の真空度の低下を防止できる。
　【００５９】呼び水完了時には、図５（Ｂ）に示すように、水２２の流れにより該リード弁２４が倒れて外気吸入用小孔２１を開き、外気である空気２３が該ロータリーベーンポンプ１内に吸い込まれるようになる。このため該膨張室８の負圧が下がる。それ故、ロータ３が回転して該ロータリーベーンポンプ１の排出ポート９が膨張室８に連通した時に、該排出ポート９から水２２が膨張室８に逆流する量及び速度を抑制できる。また、該膨張室８内に空気２３があるため、該空気２３のダンパ効果により自己潤滑性ベーン５に加わる水の衝撃力を小さくできる。このため自己潤滑性ベーン５の破壊を防止できる。
　【００６０】図６は、本発明に係る給水ポンプの呼び水装置１４における実施の形態の第３例を示したものである。なお、前述した図１と対応する部分には、同一符号を付けて示している。
　【００６１】本例の呼び水装置１４においては、カーボン等よりなる自己潤滑性ベーン５を用いたロータリーベーンポンプ１の排出ポート９に、外気を吸入させるエアーアシスト部２０が設けられていることを特徴とする。この場合、エアーアシスト部２０は、ロータリーベーンポンプ１の排出ポート９に設けられた外気吸入用小孔２１により形成されている。
　【００６２】このようにロータリーベーンポンプ１の排出ポート９に、外気を吸入させるエアーアシスト部２１を設けると、呼び水２２が該ロータリーベーンポンプ１の膨張室８に入り、図７に示すようにロータ３の回転により排出ポート９が膨張室８に連通した時、エアーアシスト部２０の外気吸入用小孔２１よりある量の空気２３が該膨張室８に入るため、該膨張室８の負圧が下がる。このため該ロータリーベーンポンプ１の排出ポート９が膨張室８に連通したときに、該排出ポート９から水２２が膨張室８に逆流する量及び速度を抑制できる。また、該膨張室８内に空気があるため、該空気２３のダンパ効果により自己潤滑性ベーン５に加わる水の衝撃力を小さくできる。このため自己潤滑性ベーン５の破壊を防止できる。
　【００６３】従って、このような構造の給水ポンプの呼び水装置１４においても、自己潤滑性ベーン５を用いたロータリーベーンポンプ１を用いても気水分離器が不要になる。
　【００６４】本例のような外気吸入用小孔２１からなるエアーアシスト部２０によれば、容易に低コストでエアーアシスト部２０を設けることができる。
　【００６５】特に、ロータリーベーンポンプ１の排出ポート９にエアーアシスト部２０を設けると、該ロータリーベーンポンプ１内に空気２３が入るのは、排出ポート９が膨張室８に連通した時だけであり、該ロータリーベーンポンプ１の真空度の低下が少ない利点がある。
　【００６６】図８は、本発明に係る給水ポンプの呼び水装置１４における実施の形態の第４例を示したものである。なお、前述した図１と対応する部分には、同一符号を付けて示している。
　【００６７】本例の呼び水装置１４においては、カーボン等によりなる自己潤滑性ベーン５を用いたロータリーベーンポンプ１の排出ポート９に、外気を吸入させるエアーアシスト部２０が設けられている点は前述した第３例と同様である。本例のエアーアシスト部２０は、ロータリーベーンポンプ１の排出ポート９に設けられた外気吸入用小孔２１と、該外気吸入用小孔２１から水２２の排出を阻止して外気の吸入のみを行うように該外気吸入用小孔２１を制御する逆止弁２５とにより形成されている。該逆止弁２５は、外気吸入用小孔２１を包囲する弁箱２６と、該弁箱２６の末端に開口された弁孔２７と、弁箱２６内で弁孔２７を閉じるボール弁体２８と、該ボール弁体２８を弁孔２７に押し付けるように付勢しているスプリング２９とで構成されている。
　【００６８】このような呼び水装置１４においては、呼び水２２がロータリーベーンポンプ１の膨張室８に入り、図８に示すようにロータ３の回転により排出ポート９が膨張室８に連通した時、該膨張室８の負圧によりエアーアシスト部２０のボール弁体２８がスプリング２９に抗して引かれて弁孔２７から離れて逆止弁２５が開となり、外気吸入用小孔２１よりある量の空気２３が該膨張室８に入り、該膨張室８の負圧が下がる。このため該ロータリーベーンポンプ１の排出ポート９が膨張室８に連通した時、該排出ポート９から水２２が膨張室８に逆流する量及び速度を抑制できる。また、該膨張室８内に空気があるため、該空気２３のダンパ効果により自己潤滑性ベーン５に加わる水の衝撃力を小さくできる。このため自己潤滑性ベーン５の破壊を防止できる。
　【００６９】また、この逆止弁２５によれば、呼び水時に外気吸入用小孔２１から水２２が排出されるのを防止できる。
　【００７０】図９は本発明に係る給水ポンプの呼び水装置１４における実施の形態の第５例を示したものである。なお、前述した図１と対応する部分には、同一符号を付けて示している。
　【００７１】本例の呼び水装置１４においては、カーボン等よりなる自己潤滑性ベーン５を用いたロータリーベーンポンプ１の排出ポート９より前のポンプケーシング２に、外気を吸入させるエアーアシスト部２０を設けたことを特徴とする。この場合、エアーアシスト部２０は、ロータリーベーンポンプ１の排出ポート９より前のポンプケーシング２に設けた外気吸入用小孔２１により形成されている。
　【００７２】次に、このような呼び水装置１４の作動を詳細に説明する。
　【００７３】ロータリーベーンポンプ１を駆動し、呼び水操作を行うと、最初のうちは給水ポンプ１０内から空気のみを吸い上げて排出するが、やがて水２２をも吸い上げるようになる。このとき排出ポート９より前のポンプケーシング２に設けた外気吸入用小孔２１より外気である空気２３も一緒にロータリーベーンポンプ１内の膨張室８に一定量入る。このため、該膨張室８の負圧が下がる。
　【００７４】それ故、ロータ３が回転して該ロータリーベーンポンプ１の排出ポート９が膨張室８に連通したときに、該排出ポート９から水２２が膨張室８に逆流する量及び速度を抑制できる。また、該膨張室８内に空気２３があるため、該空気２３のダンパ効果により自己潤滑性ベーン５に加わる水の衝撃力を小さくできる。このため自己潤滑性ベーン５の破壊を防止できる。
　【００７５】従って、このような構造の給水ポンプの呼び水装置１４においては、自己潤滑性ベーン５を用いたロータリーベーンポンプ１を用いても気水分離器が不要になり、装置の小型化を図ることができ、装置の小型化を図ることができ、コストの低減を図ることができる。また、自己潤滑性ベーン５の破壊を防止できると、該ベーン５の厚さを薄くでき、このためロータリーベーンポンプ１の小型化も図ることができる。更に、ロータリーベーンポンプ１の排出ポート９より前のポンプケーシング２にエアーアシスト部２０を設けると、ロータリーベーンポンプ単品の加工で本発明を実施できる利点がある。
　【００７６】特に、本例のような外気吸入用小孔２１からなるエアーアシスト部２０によれば、ロータリーベーンポンプ単品の加工でエアーアシスト部２０を形成でき、容易に低コストでエアーアシスト部２０を設けることができる。
　【００７７】なお、自己潤滑性ベーン５としては、カーボン製に限らず、ポリイミド系の如き樹脂製等の場合もある。
　【００７８】
　【発明の効果】本発明に係る給水ポンプの呼び水装置においては、ロータリーベーンポンプの吸入側から該ロータリーベーンポンプの排出ポートまでのいずれかの部分に、外気を吸入させるエアーアシスト部を設けたので、該エアーアシスト部よりある量の空気が該ロータリーベーンポンプの膨張室に入るため、呼び水が該膨張室に入ってきた時に該膨張室の負圧が下がり、このため該ロータリーベーンポンプの排出ポートが膨張室に連通したときに、該排出ポートから水が膨張室に逆流する量及び速度を抑制することができる。また、該膨張室内に空気があるため、該空気のダンパ効果によりベーンに加わる水の衝撃力を小さくでき、このため自己潤滑性ベーンの破壊を防止することができる。
　【００７９】従って、このような構造の給水ポンプの呼び水装置においては、自己潤滑性ベーンを用いたロータリーベーンポンプを用いても気水分離器が不要になり、完全な呼び水操作を行うことができ、装置の小型化を図ることができ、コストの低減を図ることができる。また、自己潤滑性ベーンの破壊を防止できると、該ベーンの厚さを薄くでき、このためロータリーベーンポンプ小型も図ることができる。
　【００８０】また本発明に係る給水ポンプの呼び水装置においては、ロータリーベーンポンプ吸入側に、外気を吸入させるエアーアシスト部を設けたので、呼び水が該ロータリーベーンポンプの膨張室に入ってきた時、該エアーアシスト部よりある量の空気が該膨張室に入るため、該膨張室の負圧が下がり、このため該ロータリーベーンポンプの排出ポートが膨張室に連通したときに、該排出ポートから水が膨張室に逆流する量及び速度を抑制することができる。また、この呼び水装置によれば、膨張室内に空気があるため、該空気のダンパ効果によりベーンに加わる水の衝撃力を小さくでき、このため自己潤滑性ベーンの破壊を防止することができる。
　【００８１】従って、このような構造の給水ポンプの呼び水装置においては、自己潤滑性ベーンを用いたロータリーベーンポンプを用いても気水分離器が不要になり、完全な呼び水操作を行うことができ、装置の小型化を図ることができ、コストの低減を図ることができる。また、自己潤滑性ベーンの破壊を防止できると、該ベーンの厚さを薄くでき、このためロータリーベーンポンプの小型化も図ることができる。
　【００８２】この場合、エアーアシスト部がロータリーベーンポンプの吸入側に設けた外気吸入用小孔により形成されていると、容易に低コストでエアーアシスト部を設けることができる。
　【００８３】また、エアーアシスト部がロータリーベーンポンプの吸入側に設けた外気吸入用小孔と、給水ポンプから排気時には該外気吸入用小孔を閉じていて呼び水完了時の水により該外気吸入用小孔を開く弁とにより形成されていると、該弁の存在により、必要なときにだけロータリーベーンポンプ内に外気吸入することがでる。このため該ロータリーベーンポンプでの空気のみの吸込み時には、該弁が開かず、空気の漏れがないため該ロータリーベーンポンプ内の真空度の低下を防止することができる。
　【００８４】また、本発明に係る給水ポンプの呼び水装置においては、ロータリーベーンポンプの排出ポートに、外気を吸入させるエアーアシスト部を設けているので、呼び水が該ロータリーベーンポンプの膨張室に入り、ロータの回転により排出ポートが膨張室に連通した時、エアーアシスト部よりある量の空気が該膨張室に入るため、該膨張室の負圧が下がり、このため該ロータリーベーンポンプの排出ポートが膨張室に連通したときに、該排出ポートから水が膨張室に逆流する量及び速度を抑制することができる。また、この呼び水装置によれば、膨張室内に空気があるため、該空気のダンパ効果によりベーン加わる水の衝撃力を小さくでき、このため自己潤滑性ベーンの破壊を防止することができる。
　【００８５】従って、このような構造の給水ポンプの呼び水装置においても、自己潤滑性ベーンを用いたロータリーベーンポンプを用いても気水分離器が不要になり、完全な呼び水操作を行うことができ、装置の小型化を図ることができ、コストの低減を図ることができる。
　【００８６】特に、ロータリーベーンポンプの排出ポートにエアーアシスト部が設けられていると、該ロータリーベーンポンプ内に空気が入るのは、排出ポートが膨張室に連通した時だけであり、このため該ロータリーベーンポンプの真空度の低下が少ない利点がある。
　【００８７】この場合、エアーアシスト部がロータリーベーンポンプの排出ポートに設けられた外気吸入用小孔により形成されていると、容易に低コストで、エアーアシスト部を設けることができる。
　【００８８】また、エアーアシスト部が、ロータリーベーンポンプの排出ポートに設けられた外気吸入用小孔と、該外気吸入用小孔から水の排出を阻止して外気の吸入のみを行うように該外気吸入用小孔を制御する逆止弁とにより形成されていると、該逆止弁の存在により、呼び水時に外気吸入用小孔から水が排出されるのを防止することできる。
　【００８９】また、本発明に係る給水ポンプの呼び水装置においては、ロータリーベーンポンプの排出ポートより前のポンプケーシングに、外気を吸入させるエアーアシスト部を設けたので、該エアーアシスト部よりある量の空気が該ロータリーベーンポンプの膨張室に入るため、呼び水が該膨張室に入ってきた時に該膨張室の負圧が下がり、このため該ロータリーベーンポンプの排出ポートが膨張室に連通した際に、該排出ポートから水が膨張室に逆流する量及び速度を抑制することができる。また、該膨張室内に空気があるため、該空気のダンパ効果によりベーンに加わる水の衝撃力を小さくでき、このため自己潤滑性ベーンの破壊を防止することができる。
　【００９０】従って、このような構造の給水ポンプの呼び水装置においては、自己潤滑性ベーンを用いたロータリーベーンポンプを用いても気水分離器が不要になり、完全な呼び水操作を行うことができ、装置の小型化を図ることができ、コストの低減を図ることができる。また、自己潤滑性ベーンの破壊を防止できると、該ベーンの厚さを薄くでき、このためロータリーベーンポンプの小型も図ることができる。更にロータリーベーンポンプの排出ポートより前のポンプケーシングにエアーアシスト部を設けると、ロータリーベーンポンプ単品の加工で本発明を実施できる利点がある。
　【００９１】特に、外気吸入用小孔からなるエアーアシスト部によれば、ロータリーベーンポンプ単品の加工でエアーアシスト部を形成でき、容易に低コストでエアーアシスト部を設けることができる。
【図面の簡単な説明】
　【図１】本発明に係る給水ポンプの呼び水装置の実施の態様の第１例を示す縦断面図である。
　【図２】（Ａ）（Ｂ）は図１に示す呼び水装置の動作説明図である。
　【図３】（Ａ）（Ｂ）はロータリーベーンポンプの回転数が１０００ｒｐｍの場合におけるエアーアシスト部なしの従来例と、エアーアシスト部ありの本例の場合における排出ポートの圧力の比較実験結果を示した特性図である。
　【図４】（Ａ）（Ｂ）はロータリーベーンポンプの回転数が２８００ｒｐｍの場合におけるエアーアシスト部なしの従来例と、エアーアシスト部ありの本例の場合における排出ポートの圧力の比較実験結果を示した特性図である。
　【図５】（Ａ）（Ｂ）は、本発明に係る給水ポンプの呼び水装置の実施の態様の第２例を示す縦断面図である。
　【図６】本発明に係る給水ポンプの呼び水装置の実施の態様の第３例を示す縦断面図である。
　【図７】図６に示す呼び水装置の動作を示す縦断面図である
　【図８】本発明に係る給水ポンプの呼び水装置の実施の態様の第４例を示す縦断面図である。
　【図９】本発明に係る給水ポンプの呼び水装置の実施の態様の第５例を示す縦断面図である。
　【図１０】（Ａ）（Ｂ）は従来の呼び水装置におけるロータリーベーンポンプの動作説明図である。
　【図１１】従来の給水ポンプの呼び水装置の要部縦断側面図である。
　【符号の説明】
１ロータリーベーンポンプ
２ポンプケース
３ロータ
４溝
５ベーン
６配管
７排出管
８膨張室
９排出ポート
１０給水ポンプ
１１吸水口
１２吐出弁
１３吐出口
１４呼び水装置
１５排出通路
１６ストレーナ
１７気水分離器
１８逆止弁
１９ダイヤフラム式止水弁
２０エアーアシスト部
２１外気吸入用小孔
２２水
２３空気
２４リード弁
２５逆止弁
２６弁箱
２７弁孔
２８ボール弁体
２９スプリング
３０フロート弁